(57)【要約】【課題】トイカメラで撮影したような画像が得られるカメラ付き携帯情報端末装置を提供する。【解決手段】対象物を撮影し画像情報を生成する撮影部と、前記対象物をトイカメラで撮影して得られる第２画像情報に前記第１画像情報を補正する画像情報処理回路と、第２画像情報を格納する記憶部と、第２画像情報を表示する表示部とを具備する。【選択図】図１
2009218842.tif 000002
【特許請求の範囲】
【請求項１】
対象物を撮影し第１画像情報を生成する撮影部と、
前記対象物をトイカメラで撮影して得られる第２画像情報に前記第１画像情報を補正する画像情報処理回路と、
前記第２画像情報を格納する記憶部と、
前記第２画像情報を表示する表示部と
を具備する
カメラ付き携帯情報端末装置。
【請求項２】
請求項１に記載のカメラ付き携帯情報端末装置であって、
前記画像情報処理回路は、前記第１画像情報のシャープネスを弱める補正と、前記第１画像情報の明度をプラス側にする補正と、前記第１画像情報に任意の色相を強調する補正と、前記第１画像情報の彩度を上げる補正とのうちの少なくとも一つの補正を行い前記第２画像情報を生成する
カメラ付き携帯情報端末装置。
【請求項３】
請求項２に記載のカメラ付き携帯情報端末装置であって、
前記画像情報処理回路は前記第１画像情報を前記第２画像情報へ補正するためのシャープネスを弱める補正値と、明度をプラス側にする補正値と、任意の色相を強調する補正値と、彩度を上げる補正値とを有する
カメラ付き携帯情報端末装置。
【請求項４】
請求項１乃至３の何れか一項に記載のカメラ付き携帯情報端末装置であって、
前記撮影部は、
前記第２画像情報を生成する撮影モードへ切替える撮影モード切替ボタン
を備え、前記画像情報処理回路は前記撮影モード切替ボタンの押下の後に前記撮影部が生成した前記第１画像情報を補正して前記第２画像情報を生成する
カメラ付き携帯情報端末装置。
【請求項５】
請求項２乃至４の何れか一項に記載のカメラ付き携帯情報端末装置であって、
前記任意の色相はグリーンである
カメラ付き携帯情報端末装置。
【請求項６】
対象物を撮影し第１画像情報を生成するステップと、
前記対象物をトイカメラで撮影して得られる第２画像情報に前記第１画像情報を補正するステップと、
前記第２画像情報を格納するステップと、
前記第２画像情報を表示するステップと
を具備する
カメラ付き携帯情報端末装置の画像処理方法。
【請求項７】
請求項６に記載のカメラ付き携帯情報端末装置の画像処理方法であって、
前記補正するステップは、
前記第１画像情報のシャープネスを弱め、前記第１画像情報の明度をプラス側にし、前記第１画像情報に任意の色相を強調し、前記第１画像情報の彩度を上げるステップのうちの少なくとも一つのステップを備える
カメラ付き携帯情報端末装置の画像処理方法。
【請求項８】
請求項７に記載のカメラ付き携帯情報端末装置の画像処理方法であって、
前記シャープネスを弱めるステップはシャープネスを弱める補正値に基づき、
前記明度をプラス側にするステップは明度をプラス側にする補正値に基づき、
前記任意の色相で強調するステップは任意の色相を強調する補正値に基づき、
前記彩度を上げるステップは彩度を上げる補正値に基づく
カメラ付き携帯情報端末装置の画像処理方法。
【請求項９】
請求項６乃至８の何れか一項に記載のカメラ付き携帯情報端末装置の画像処理方法であって、
前記第２画像情報を生成する撮影モードへ切替えるステップ
を更に具備し、
前記補正するステップは、前記切替えるステップの後に生成された前記第１画像情報を補正して前記第２画像情報を生成する
カメラ付き携帯情報端末装置の画像処理方法。
【請求項１０】
請求項７乃至９の何れか一項に記載のカメラ付き携帯情報端末装置の画像処理方法であって、
前記任意の色相はグリーンである
カメラ付き携帯情報端末装置の画像処理方法。
【請求項１１】
請求項６乃至１０の何れか一項に記載の方法をコンピュータに実行させる
カメラ付き携帯情報端末装置の画像処理プログラム。
【発明の詳細な説明】
【技術分野】
【０００１】
本発明は、画像処理装置に関し、特にカメラ付き携帯情報端末装置に関する。
【背景技術】
【０００２】
ＬＯＭＯ、ＨＯＬＧＡ等に代表されるトイカメラと呼ばれる銀塩カメラは、独特の雰囲気を持つ写真を撮影することが出来る。トイカメラで撮影して得られる写真は、通常のカメラで撮った写真と比較して、甘いピント、明るい仕上り、偏った色調、鮮やかな発色、周辺減光等のうち少なくとも一つを備えている。例えば、中心付近のピントは合っているが周囲はボケた写真や、色調がグリーンやブルーなどに偏った写真や、鮮やか過ぎる発色の写真や、トンネルの穴から覗いているような写真などが挙げられる。また、トイカメラで撮影した写真は、撮影の都度仕上りが異なることもある。通常のデジタルカメラはトイカメラの独特の雰囲気を撮影出来ないため、ユーザは撮影した画像をパソコンなどに一度取り込みフォトレタッチソフト等を利用してトイカメラ風の画像処理を施している。
【０００３】
撮影モードの選択機能を有した電子カメラに関する技術が特許文献１に提案されている。この電子カメラは、被写体を撮像して画像データを生成する撮像手段と、焦点検出エリアの焦点検出情報に応じて撮像手段の焦点制御を行う焦点制御手段とを備える。そして、撮像手段は近距離撮影を行うクローズアップモードを選択可能に有し、焦点制御手段は撮像手段におけるクローズアップモードの選択に応じて焦点検出エリアの数を増やすことを特徴としている。このような電子カメラは、クローズアップモードの選択に応じて焦点検出エリアの数を自動的に増やすため、合焦位置の細かなコントロールが可能になるというものである。
【０００４】
また、子供撮影に適した機能を備えた撮影装置に関する技術が特許文献２に提案されている。この撮影装置は、撮影モード切替スイッチにて子供撮影モードを選択すると、撮影ボタンの半押しでスピーカから所定の音声が出力され子供の注意をカメラ側に向ける。音声の出力は撮影ボタンの全押しで停止し、これと同時に画像が記録される。画像は標準よりも軟調になるように処理されるとともに、シャープネスが標準よりも弱くなるように処理される。この撮影装置によって、面倒な設定を行わずに子供の写真に相応しい画像を簡単に撮影することができるというものである。
【０００５】
【特許文献１】特開２００１−３１１８６７号公報
【特許文献２】特開２００５−９４１３３号公報
【発明の開示】
【発明が解決しようとする課題】
【０００６】
トイカメラ独特の雰囲気の写真を好む愛好者は多いが、トイカメラはフィルムを使用するためＷｅｂなどの電子媒体では利用しづらく、また現像代等のコストも掛かる。デジタルカメラは、電子媒体での利用しやすさや現像代が抑えられる効果を有するが、トイカメラ風の甘いピント、明るい仕上り、偏った色調、鮮やかな発色、周辺減光等を有する写真を得るにはパソコンなどで画像処理しなければならなかった。また、カメラ機能を有する携帯情報端末装置は、通常のデジタルカメラに比べて大きなレンズ及び撮像素子を搭載することが出来ないため、解像感及び色調の優れた写真を撮影することは困難である。従って、携帯端末装置で撮影した写真は有効に活用出来ていない場合がある。
【０００７】
本発明の課題は、トイカメラで撮影したような画像が得られるカメラ付き携帯情報端末装置を提供することにある。
【課題を解決するための手段】
【０００８】
本発明のカメラ付き携帯情報端末装置は、対象物を撮影し第１画像情報を生成する撮影部と、対象物をトイカメラで撮影して得られる第２画像情報に第１画像情報を補正する画像情報処理回路と、第２画像情報を格納する記憶部と、第２画像情報を表示する表示部とを具備する。このようなカメラ付き携帯情報端末装置は、撮影した画像情報に補正を行い、トイカメラで撮影したような甘いピント、明るい仕上り、偏った色調、鮮やかな発色、周辺減光等のうち少なくとも一つを備える画像にすることが出来る。
【発明の効果】
【０００９】
本発明のカメラ付き携帯情報端末装置は、撮影した画像情報にトイカメラで撮影したような補正が行えるため、ユーザにトイカメラ風の画像を手軽に提供することが出来る。
【発明を実施するための最良の形態】
【００１０】
以下、添付図面を参照して本発明の実施の形態によるカメラ付き携帯情報端末装置を説明する。
【００１１】
図１は、本発明のカメラ付き携帯情報端末の実施の形態による、ハードウエア構成例を示すブロック図である。図１を参照すると、本発明のカメラ付き携帯情報端末装置は、カメラユニット１０と、画像入力処理回路１１と、カメラユニット制御回路１２と、撮影モード切替ボタン１３と、撮影ボタン１４と、ＣＰＵ１５（Ｃｅｎｔｒａｌ  Ｐｒｏｃｅｓｓｉｎｇ  Ｕｎｉｔ；中央演算処理装置）と、バス１６と、ＬＣＤ（Ｌｉｑｕｉｄ  Ｃｒｙｓｔａｌ  Ｄｉｓｐｌａｙ）ドライバ１７と、液晶表示部１８と、画像情報処理回路１９と、メモリ２０と、記録メディア制御回路２１と、記録メディア２２とを具備する。
【００１２】
カメラユニット１０は、レンズや撮像素子（ＣＣＤ、ＣＭＯＳなど）などからなり、光を電荷の量に光電変換し、電気信号を生成する。画像入力処理回路１１は、カメラユニット１０から取得した電気信号をデジタル化された画像情報へ変換する。カメラユニット制御回路１２は、ＣＰＵ１５からの制御情報に基づき、カメラユニット１０を制御する。撮影モード切替ボタン１３は、ユーザによって操作されると本発明のカメラ付き携帯情報端末に含まれる撮影モードを切替える情報を、ＣＰＵ１５へ提供する。本発明のカメラ付き携帯情報端末装置は、撮影モードとしてトイカメラで撮影したような、甘いピント、明るい仕上り、偏った色調、鮮やかな発色、周辺減光等のうち少なくとも一つを備える画像処理を行うトイカメラモードを有している。また、既存の技術であるポートレートモード、風景撮影モード、クローズアップモード等の撮影モードも有していてもよい。撮影ボタン１４は、ユーザによって操作されると撮影を行う情報をＣＰＵ１５へ提供する。また、カメラユニット１０と、画像入力処理回路１１と、カメラユニット制御回路１２と、撮影モード切替ボタン１３と、撮影ボタン１４と、撮影に係るＣＰＵ１５の機能とを合わせて撮影部とする。
【００１３】
ＣＰＵ１５は、メモリ２０に格納されている本発明に係るプログラムに従って、本発明に係る演算処理、制御処理を行う。例えばＣＰＵ１５は、画像入力処理回路１１から画像情報を取得し、バス１６を介してメモリ２０へ提供する。また、ＣＰＵ１５は、撮影モード切替ボタン１３から撮影モードを切替える情報を取得し、撮影モードを切替える情報を画像情報処理回路１９へ提供する。そして、ＣＰＵ１５は、撮影ボタン１４から撮影を行う情報を取得すると、撮影を行う情報をカメラユニット制御回路１２へ提供する。更に、ＣＰＵ１５はメモリ２０に格納されている画像情報を取得し、ＬＣＤドライバ１７と、画像情報処理回路１９と、記録メディア２１とへ提供する。
【００１４】
バス１６は、ＣＰＵ１５と、ＬＣＤドライバ１７と、画像情報処理回路１９と、メモリ２０と、記録メディア２１との各々の間でやり取りされる情報を伝送する。
ＬＣＤドライバ１７は、メモリ２０に格納されている画像情報をＣＰＵ１５の制御に基づき取得し、液晶表示部１８が出力可能なように提供する。液晶表示部１８は、画像情報をユーザが認識出来るように出力する。液晶表示部１８の液晶は一例であって、表示装置を液晶に限定するものではなく表示機能を有しているものであればよい。尚、ＬＣＤドライバ１７と液晶表示部１８との機能を表示部とする。
【００１５】
画像情報処理回路１９は、画像情報のシャープネスの補正と、明度の補正と、色相の補正と、彩度の補正とを行う。画像情報処理回路１９は、メモリ２０に格納されている画像情報を本発明に含まれる各種撮影モードで補正するための、シャープネス、明度、色相、彩度の補正値を保持している。トイカメラモードの補正値は、標準撮影（標準の撮影条件は、カメラ付き携帯情報端末装置毎に任意に決められているものでよい）と比較して、シャープネスを弱める補正値と、明度をプラス側にする補正値と、色調を強調する補正値と、彩度を上げる補正値とを含む。色相を強調するときは画像情報全体に任意の色相を強調するように補正する。トイカメラモードで強調する色相の一例としてグリーンが挙げられる。トイカメラモードに関する各々の補正値は、一意に決定されるものではなくカメラ付き携帯情報端末装置毎で検証のうえ補正値とする。また、各々の補正値は、どれか一つの補正値（例えばシャープネスの補正値）に基づき残りの補正値が決まるようにしてもよい。更に、トイカメラ独特の操作感を再現するために、撮影の都度補正値を変化させるようにしてもよい。画像情報処理回路１９は、ＣＰＵ１５から提供される撮影モードの情報に基づき、メモリ２０に格納されている画像情報を補正する。そして、画像情報処理回路１９は、撮影モードがトイカメラモードの場合、メモリ２０に格納されている画像情報を取得し、その画像情報のシャープネスを弱める補正と、明度をプラス側にする補正と、グリーンを強調する補正と、彩度を上げる補正とを行う。シャープネスを弱める補正は、画像情報のピントが甘くなったような効果を加える。明度をプラス側にする補正は、画像情報を明るくする。グリーンを強調する補正は、画像情報にトイカメラ特有の色調の偏りの効果を加える。彩度を上げる補正は、画像情報のコントラストを上げる。画像情報処理回路１９は、補正した画像情報をＣＰＵ１５の制御に基づきメモリ２０へ提供する。尚、ＣＰＵ１５と、画像情報処理回路１９と、メモリ２０との機能を画像情報処理部とする。
【００１６】
メモリ２０は、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）などからなり、本発明に係る各機能や手段を実現するプログラム、撮影した画像情報及び各種入力情報などを格納する。また、メモリ２０は、画像情報処理回路１９が保持する本発明に含まれる各種撮影モードに対応するシャープネスと、明度と、色相と、彩度との補正値を保持していてもよい。メモリ２０が補正値を保持する場合は、画像情報処理回路１９は補正値をメモリ２０から取得する。
【００１７】
記録メディア制御回路２１は、メモリ２０に格納される画像情報をＣＰＵ１５の制御に基づいて取得する。記録メディア制御回路２１は、取得した画像情報を記録メディア２２へ記録する。記録メディア２２は、フラッシュメモリやハードディクスなどの画像が記録出来るものであればよい。尚、メモリ２０と、記録メディア制御回路２１と、記録メディア２２との機能を記憶部とする。
【００１８】
本発明に係る各構成は、例示したハードウェアに限定されるものではなく、各機能を実現するプログラムとハードウェアとの組み合わせや、各々を単独に使用することよって構成してもよい。
【００１９】
図２は、本発明のカメラ付き携帯情報端末装置の実施の形態による処理動作を示したフローチャートである。図２を参照して、本発明の実施の形態による処理動作を説明する。ユーザによって撮影モード切替ボタン１３が操作されると、撮影モードを切替える情報は画像情報処理回路１９へ提供される（ステップＳ０１）。
【００２０】
ユーザによって撮影ボタン１４が操作されると、撮影を行う情報はカメラユニット制御回路１２へ提供される。カメラユニット制御回路１２は、撮影を行う情報に基づきカメラユニット１０を制御する。カメラユニット１０は、カメラユニット制御回路１２から制御情報を取得し、対象物を撮影し、電気信号を画像入力処理回路１１へ提供する。画像入力処理回路１１は、取得した電気信号をデジタル化された画像情報へ変換する（ステップＳ０２）。
【００２１】
ＣＰＵ１５は、撮影モード切替ボタン１３から取得した撮影モードを切替える情報に基づき、撮影モードを判定する（ステップＳ０３）。
【００２２】
ステップＳ０３において、撮影モードを切替える情報がトイカメラモードである場合を説明する。画像入力処理回路１１は画像情報をメモリ２０へ提供し、メモリ２０は画像情報を格納する（ステップＳ０４）。
【００２３】
画像情報処理回路１９は、撮影モードを切替える情報としてトイカメラモードを取得している。画像情報処理回路１９はＣＰＵ１５の制御に基づきメモリ２０から画像情報を取得し、取得した画像情報を補正する（ステップＳ０５）。画像情報処理回路１９が行うトイカメラモードの画像処理の詳細は後述する。画像情報処理回路１９は、トイカメラで撮影したような画像情報（トイカメラ風の画像情報）をＬＣＤドライバ１７と、記録メディア制御回路２１とに提供する。ＬＣＤドライバ１７は、取得したトイカメラ風の画像情報を液晶表示部１８が表示可能なように提供する。液晶表示部１８は、提供されたトイカメラ風の画像情報をユーザが認識出来るように出力する。
【００２４】
記録メディア制御回路２１は、トイカメラ風の画像情報を記録メディア２２に記録する（ステップＳ０６）。
【００２５】
ステップＳ０３において、撮影モードを切替える情報が本発明に含まれるその他の場合は、画像情報処理回路１９は各種撮影モードの設定に基づき取得した画像情報に画像処理を行う。その場合の画像処理は既存の技術を用いるとする。
【００２６】
図３は、画像情報処理回路１９のトイカメラモードにおける処理動作を示したフローチャートである。図３を参照すると、画像情報処理回路１９は、メモリ２０から取得した画像情報に通常のオートホワイトバランス（ＡＷＢ）を実施し、極端な色の偏りを補正する（ステップＳ１０）。
【００２７】
画像情報処理回路１９は、トイカメラモードの予め設定されたシャープネスの補正値に基づき、画像情報のシャープネスを弱める方向に補正する（ステップＳ１１）。この補正によって、画像情報のピントが甘くなったような効果を加える。
【００２８】
次に、画像情報処理回路１９は、トイカメラモードの明度の補正値に基づき、画像情報の明度をプラス側に補正する（ステップＳ１２）。この補正によって、画像情報を明るくする。
【００２９】
続いて、画像情報処理回路１９は、トイカメラモードの色調の補正値に基づき、画像情報のグリーンを強調するように色調を補正する（ステップＳ１３）。この補正によって、画像情報にトイカメラ特有の色調の偏りの効果を加える。
【００３０】
更に、画像情報処理回路１９は、トイカメラモードの彩度の補正値に基づき、画像情報の彩度を上げる方向に補正する（ステップＳ１４）。この補正によって、画像情報のコントラストを上げる。
【００３１】
本発明のカメラ付き携帯情報端末装置は、シャープネスを弱める補正値と、明度をプラス側にする補正値と、色相でグリーンを強調する補正値と、彩度を上げる補正値とが予め設定されているため、撮影した画像情報を補正してトイカメラで撮影したような画像にすることが出来る。これにより、ユーザは難しいカメラの調整や別装置での補正などを行わずに、トイカメラ風の画像を手軽に得られるようになる。更に、本発明はカメラ付き携帯情報端末装置の解像感不足等の弱点を逆に利用し趣のある画像へと変えることが出来るため、カメラ付き携帯情報端末装置の活用範囲を一層拡大させる効果を有している。また、本発明はトイカメラ風の画像情報をデジタルデータとして記録メディアに記録しているため、フィルム現像やフィルムスキャンなどが不要であり、画像情報を電子媒体として利用しやすい効果がある。
【００３２】
本発明における画像情報処理部を通常のデジタルカメラの構成に含ませることも可能であり、前述したカメラ付き携帯情報端末装置と同様の効果を得ることが出来る。
【図面の簡単な説明】
【００３３】
【図１】図１は、本発明のカメラ付き携帯情報端末の実施の形態による、ハードウエア構成例を示すブロック図である。
【図２】図２は、本発明のカメラ付き携帯情報端末装置の実施の形態による処理動作を示したフローチャートである。
【図３】図３は、画像情報処理回路１９のトイカメラモードにおける処理動作を示したフローチャートである。
【符号の説明】
【００３４】
１０    カメラユニット
１１    画像入力処理回路
１２    カメラユニット制御回路
１３    撮影モード切替ボタン
１４    撮影ボタン
１５    ＣＰＵ（Ｃｅｎｔｒａｌ  Ｐｒｏｃｅｓｓｉｎｇ  Ｕｎｉｔ；中央演算処理装置）
１６    バス
１７    ＬＣＤドライバ
１８    液晶表示部
１９    画像情報処理回路
２０    メモリ
２１    記録メディア制御回路
２２    記録メディア
【図１】
2009218842.tif 000003
【図２】
2009218842.tif 000004
【図３】
2009218842.tif 000005